(57)【要約】【課題】本発明は、押しボタンの突出量を、特別な工具を使用することなく、簡単かつ軽快に切換えることができる握り押しボタンスイッチを提供することを課題とする。【解決手段】握り押しボタンスイッチのケース本体と、このケース本体に固定されるトップカバーとの間に回動操作できる調節リングを嵌挿し、調節リングを回すことにより、押しボタンを含むスイッチユニットをトップカバー内において、その中心線に沿って、前進または後退させることにより、押しボタンの突出量を２段階に調節できるようにしたことを特徴とする。【選択図】図１
2006210175.tif 000002
【特許請求の範囲】
【請求項１】
ケース本体と、押しボタンを有するスイッチユニットと、ケース本体に固定されるトップカバーと、前記ケース本体と前記トップカバーとの間に回動可能に嵌挿される調節リングと、を有し、前記スイッチユニットは、内側に両側からスイッチ体を挟み込んで固定できるとともに、外周に螺旋状の第１ガイドを有する分割型のスイッチホルダと、前記スイッチホルダに軸方向に摺動可能に係止される押しボタンと、スイッチホルダの内側に収容され、前記押しボタンを押すコイルバネと、を備え、前記押しボタンを、コイルバネの圧力に抗して、押すことより、スイッチ体を閉成できるようにし、前記調節リングは、前記スイッチホルダにおける第１ガイドに嵌合する螺旋状の第２ガイドを有し、この調節リングを回動操作して、スイッチユニットを、前記第１ガイドと前記第２ガイドの相互作用で、中心線に沿って前進または後退させることにより、トップカバーの先端面から突出する押しボタンの突出量を２段階に調節できるようにしたことを特徴とする握り押しボタンスイッチ。
【請求項２】
前記トップカバーには合わせマークを表示するとともに、前記調節リングには、押しボタンが突出した状態を表示する突出マークと、突出しない状態を表示する凹みマークとを表示し、前記調節リングの回動操作時において、前記トップカバー側の合わせマークと調節リング側の突出マークまたは凹みマークとを位置合わせすることにより、回動停止位置を決定できるようにしたことを特徴とする請求項１記載の握り押しボタンスイッチ。
【発明の詳細な説明】
【技術分野】
【０００１】
本発明は、握り押しボタンスイッチに係り、特に、押しボタンの突出量を患者にあわせて２段階に調節できる握り押しボタンスイッチに関する。
【背景技術】
【０００２】
ナースコール装置において、患者が看護師を呼び出すために使用される握り押しボタンスイッチは、病室のベッドで寝たままの患者が手で握りやすい円筒状に形成され、その先端部にある押しボタンを親指などで押すことにより、スイッチが動作するようになっている。            
【０００３】
一般的な握り押しボタンスイッチは、手指を自由に動かせる患者さんの使用を前提に設計され、誤動作防止、すなわち、握り押しボタンスイッチを床に落としたりしたときも、押しボタンの先端が押されてスイッチが誤作動しないように、押しボタン先端部の操作面は、押しボタンを収容する本体の先端面とほぼ同一面になるように設計されている。
【０００４】
このような握り押しボタンスイッチを操作するには、押しボタンの先端の操作面を、本体の先端開口部内へ押し込む必要があり、特に、手指の動きに支障のある患者さんにとっては使いにくいものとなる。そこで、手指の動きに支障のある人もない人も使えるように、押しボタンの突出量を２段階で調整できるようにしたものがある（特許文献１）。
【０００５】
【特許文献１】・・・・特開昭５７−０８７０１８号公報
【発明の開示】
【発明が解決しようとする課題】
【０００６】
特許文献１記載の発明によれば、押ボタンの大環状凹所の凸部と接触片受台のボス部凹所とが、押上げバネと押下げバネという大小２種類のバネの押圧力で相互に押し付けられた状態で、押しボタンを円周方向に回して、押ボタンの突出量を調整する必要があるが、２種類のバネの押圧力に抗して回わさなければならないこと、および、押ボタンの突出量は、凹んだ位置では、保持フレームに対し、ほぼ零であり、突出位置でも、せいぜい２〜３ｍｍのため、押ボタンの周面に指をあてて回すのは困難であった。
【０００７】
そのため、押ボタンの上面に親指の腹をあてて回すことになるが、親指の腹による押圧力は、円周方向と軸方向に別れ、軸方向の押圧力が、回転力を阻害するため、実際には、押ボタンの上面に親指の腹をあてて回すことはできない。
【０００８】
そのため、特許文献１の第２図に示されているように、看護婦マークの下部に小さな円形の凹みを形成し、この凹みにシャープペンのペン先などを差し込んで回すなどの工夫を必要とした。
【０００９】
本発明は、上記のような欠点を除去し、押しボタンの突出量を、特別な工具を使用することなく、簡単かつ軽快に切換えることができる握り押しボタンスイッチを提供することを課題とする。
【課題を解決するための手段】
【００１０】
本発明は、握り押しボタンスイッチのケース本体と、このケース本体に固定されるトップカバーとの間に回動操作できる調節リングを嵌挿し、調節リングを回すことにより、押しボタンを含むスイッチユニットをトップカバー内において、その中心線に沿って、前進または後退させることにより、押しボタンの突出量を２段階に調節できるようにしたことを特徴とするものである。
【００１１】
また、本発明は、調節リングを回して、その周面適所に表示されている突出マークまたは凹みマークを、トップカバーの合わせマークに位置合わせするだけで、押しボタンの突出量を適正に決定できるようにしたことを特徴とするものである。
【発明の効果】
【００１２】
本発明は、上記の構成により、押しボタンの突出量を、特別な工具を使用することなく、簡単かつ軽快に切換えることができる。
【発明を実施するための最良の形態】
【００１３】
図１は、本発明の１実施例を示す握り押しボタンスイッチの外観図である。
図において１は、手で持ちやすい形状に加工された、細長い円筒状のケース本体であり、調節リング２は、このケース本体１とトップカバー３との間に回動自在に嵌め込まれている。
【００１４】
調節リング２の外周面の所定位置には、突出マーク８および凹みマーク９が所定の間隔をおいて表示されている。
【００１５】
前記トップカバー３には、前記調整リング２の突出マーク８および凹みマーク９の停止位置を示す合わせマーク７が表示されている。
【００１６】
４は看護師等を呼び出すときに操作する押しボタンであり、調整リング２を回動操作し、その突出マーク８がトップカバー３の合わせマーク７に対向する位置では、図に示すように、トップカバー３の上端面から２ｍｍ程突出する。他方、調整リング２を回動操作し、凹みマーク９がトップカバー３の合わせマーク７に対向する位置では、押しボタン４は、トップカバー３の上端面とほぼ同一面になるまで後退する。
【００１７】
なお、ケース本体１の下端部からは、保護ブッシング６を通してコード５が外部に延長され、その先端には、壁付けのナースコール子機などと接続するためのコンセント（図示せず）が接続される。
【００１８】
図２は、握り押しボタンスイッチの組立図である。
ケース本体１は、縦に２分割され、分割面を付き合わせて嵌合させることによって一体に組み立てられる。このケース本体の上端部に載置される調節リング２の内側には、螺旋状に突起する第２ガイドが形成されており、スイッチユニット１０を構成するスイッチホルダ１１の外周に形成された第１ガイド１１Ａと嵌り合うようになっている。
【００１９】
図に示すように、ケース本体１の上端面に調節リング２を載せ、その内周に形成された第２ガイド２Ａの上方から、スイッチユニット１０の下端外周に形成された第１ガイド１１Ａを嵌め合わせながら、スイッチユニット１０を調節リング２に取り付ける。
【００２０】
さらに、スイッチユニット１０の上方から、トップカバー３を被せ、そのトップカバー３の下端外周から垂下突出する舌状片の係止穴１２を、ケース本体１の上端内周壁に形成されている内向きの係止突起１３と嵌合させることにより、図1のように組み立てられる。
【００２１】
なお、図２において、トップカバー３の内周壁の適所には、縦長の回転防止リブ３Ａが形成されており、この回転防止リブ３Ａが押しボタン４の外周の環状リブに形成されている回転防止溝４Ａに嵌合することにより、押しボタン４の回動を防止している。
【００２２】
図３は、スイッチユニット１０の分解斜視図である。
図に示すように、スイッチユニット１０は、２分割できるスイッチホルダ１１を有し、分割面を突き合わせて嵌め合わせることにより、一体のものとして組み立てられる。
このスイッチホルダ１１の分割面の近傍には、スイッチ体１２の両端部を保持固定するために形成された一対の凹所からなるスイッチ係止部１４を具備している。
コイルバネ１６は、スイッチホルダ１１の上部外周から嵌装され、その下端部はスイッチホルダ１１の外周に形成された外向きのバネ受け段部に係止される。
【００２３】
押しボタン４は、コイルバネ１６の上からこのバネを包むようにしてスイッチホルダ１１に装着され、その外周壁から垂下突出する舌状片に形成された係合孔１８に、スイッチホルダ１１の外周壁から外向きに突出する係止突起１７を嵌合させることにより、スイッチホルダ１１に係止される。
なお、スイッチホルダ１１の係止突起１７は、押しボタン４の係合孔内において、上下方向に相対移動可能であるとともに、相対移動範囲が規制を受ける。
このようにして、押しボタン４、コイルバネ１６、スイッチ体１５、スイッチホルダ１１は一体のものとして組み立てられ、スイッチユニット１０となる。
【００２４】
なお、押しボタン４は、常態では、スイッチホルダ１１に対し、そのバネ受け段部で係止されたコイルバネ１６の押圧力で上方に付勢され、係合突起１７が係合穴１８の下縁で係止された状態を保持する。
【００２５】
この状態では、押しボタン４の天板下面から下方に突出している突出片（図示せず）の先端は、スイッチ体１５の作動子１６との間に一定の離隔距離が確保できるようになっている。他方、コイルバネ１３の反発力に抗して、押しボタン４を下方に押すと、スイッチホルダ１１内を、押しボタン４が下方に移動し、その突出片で作動子１６が押され、スイッチ体１１が動作する。
【００２６】
なお、上記のように押しボタン４を押し下げるとき、スイッチホルダ１１の係合突起１５は係合孔１４内に限って上方に移動できる構造であり、押しボタン４の移動範囲は、係合突起１７が係合孔１８の上端縁に当接することにより規制される。従って、押しボタン４に過大な押圧力が加わっても、スイッチ体１５に無理な力が加わることはない。
【００２７】
図２、図３で説明したように、ケース本体１に固定されたトップカバー３内において、押しボタン４は、その回動を阻止されている。
そのため、スイッチホルダ１１を含むスイッチユニット１０は、調節リング２を回すと、第１ガイド１１Ａおよび第２ガイド２Ａの相互作用により、トップカバー１０内においてその中心線に沿って前進または後退する。
スイッチユニット１０の全体が前進または後退する結果、押しボタン４のトッブは、トップカバー３の先端面から適宜突出したり、凹んだりする。
適切な突出量は、前述した位置合わせマーク７、８、９を合わせるべく、調整リング２の回動量を調整することにより決定される。
【図面の簡単な説明】
【００２８】
【図１】本発明の１実施例を示す握り押しボタンスイッチの外観図。
【図２】本発明の１実施例における握り押しボタンスイッチの組立図。
【図３】本発明の１実施例におけるスイッチユニットの分解図。
【符号の説明】
【００２９】
１    ケース本体
２    調整リング
２Ａ  第２ガイド
３    トップカバー
４    押しボタン
５    コード
６    保護ブッシング
７    合わせマーク
８    突出マーク
９    凹みマーク
１０    スイッチユニット
１１    スイッチホルダ
１１Ａ  第１ガイド
１２    係止孔
１３    係止突起
１４    スイッチ係止部
１５    スイッチ体
１６    コイルバネ
１７    係止突起
【図１】
2006210175.tif 000003
【図２】
2006210175.tif 000004
【図３】
2006210175.tif 000005